【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
行列方向に配列された複数のマイクロレンズと、前記複数のマイクロレンズの各々に対応して行列方向に複数の単位画素が配列された画素領域とを有する撮像手段であって、各々の前記単位画素は、第１の光電変換部と第２の光電変換部とを含み、前記撮像手段は、前記第１の光電変換部と前記第２の光電変換部とでそれぞれ発生した電荷に対応する信号に対して合成処理を行い、前記合成処理が行われた信号に対して読み出しを行うモードである第１のモードと、前記第１の光電変換部で発生した電荷に対応する信号に対して前記合成処理を行うことなく読み出しを行うモードである第２のモードとを少なくともとり得る撮像手段と、
前記画素領域のうちの第１の領域に位置する第１の行に対しては、前記第１のモードでの前記読み出しを行い、前記画素領域のうちの前記第１の領域とは異なる第２の領域に位置する第２の行に対しては、前記第２のモードでの前記読み出しを行う制御手段であって、前記第１の領域に位置する前記第１の行に対して行われる前記第１のモードでの前記読み出しは、第１の読み出し周期において行われ、前記第２の領域に位置する前記第２の行に対して行われる前記第２のモードでの前記読み出しは、前記第１の読み出し周期とは別の第２の読み出し周期において行われ、画像を撮影する際における、前記第１の読み出し周期の長さと、前記第２の読み出し周期の長さとが、互いに等しい、制御手段と
を有することを特徴とする撮像装置。
【請求項２】
請求項１に記載の撮像装置において、
前記制御手段は、前記第２の行に対しては、前記第２のモードでの前記読み出しと前記第２のモードとは異なるモードでの読み出しとを行い、
前記第２の領域に位置する前記第２の行に対して行われる前記第２のモードとは異なる前記モードでの前記読み出しは、前記第１の読み出し周期と前記第２の読み出し周期のいずれとも別の第３の読み出し周期において行われ、
画像を撮影する際における、前記第１の読み出し周期の長さと、前記第２の読み出し周期の長さと、前記第３の読み出し周期の長さとが、互いに等しい
ことを特徴とする撮像装置。
【請求項３】
請求項２に記載の撮像装置において、
前記第２のモードとは異なる前記モードは、前記第１のモードである
ことを特徴とする撮像装置。
【請求項４】
請求項３に記載の撮像装置において、
前記制御手段は、前記複数の単位画素のうちの前記第２の領域内に位置する第１の単位画素から前記第１のモードで読み出される信号と、前記第１の単位画素から前記第２のモードで読み出される信号とに基づいて、焦点検出を行う
ことを特徴とする撮像装置。
【請求項５】
請求項３又は４に記載の撮像装置において、
前記制御手段は、前記複数の単位画素の各々から前記第１のモードでそれぞれ読み出される信号に基づいて、被写体の画像を生成する
ことを特徴とする撮像装置。
【請求項６】
請求項１に記載の撮像装置において、
前記撮像手段は、前記第２の光電変換部で発生した前記電荷に対する前記信号に対して前記合成処理を行うことなく読み出しを行うモードである第３のモードを更にとり得、
前記第２のモードとは異なる前記モードは、前記第３のモードである
ことを特徴とする撮像装置。
【請求項７】
請求項６に記載の撮像装置において、
前記制御手段は、前記複数の単位画素のうちの前記第２の領域内に位置する第１の単位画素から前記第２のモードで読み出される信号と、前記第１の単位画素から前記第３のモードで読み出される信号とに基づいて、焦点検出を行う
ことを特徴とする撮像装置。
【請求項８】
請求項６又は７に記載の撮像装置において、
前記制御手段は、前記第２の領域内に位置する前記複数の単位画素の各々から前記第２のモードでそれぞれ読み出される信号と、前記第２の領域内に位置する前記複数の単位画素の各々から前記第３のモードでそれぞれ読み出される信号とをそれぞれ合成処理することにより得られる信号と、前記第１の領域内に位置する前記複数の単位画素の各々から前記第１のモードでそれぞれ読み出される信号とに基づいて、被写体の画像を生成する
ことを特徴とする撮像装置。
【請求項９】
請求項１から８のいずれか１項に記載の撮像装置において、
前記第１の光電変換部からフローティングディフュージョンへの電荷転送が、前記第２の読み出し周期において行われ、
少なくとも前記第２の光電変換部から前記フローティングディフュージョンへの電荷転送が、前記第１の読み出し周期と前記第２の読み出し周期のいずれとも別の第３の読み出し周期において行われる
ことを特徴とする撮像装置。
【請求項１０】
請求項１から９のいずれか１項に記載の撮像装置において、
前記制御手段は、前記第１の領域の設定に限定を加える第１の設定モードと、前記第１の領域の設定に限定を加えない第２の設定モードをとり得、
前記限定は、前記第１の領域の数、前記第１の領域の位置、および、１つの前記第１の領域に含まれる前記単位画素の行の数のうちの少なくともいずれかである
ことを特徴とする撮像装置。
【請求項１１】
請求項１０に記載の撮像装置において、
前記第１の領域は、合焦状態を検出するための測距枠に対応しており、
前記制御手段は、前記撮像装置の撮影モードまたは焦点調節モードに従って前記第１の設定モードと前記第２の設定モードとを切り替え、前記撮影モードは高フレームレートの撮影モードと低フレームレートの撮影モードとを含み、前記焦点調節モードは、複数の前記測距枠を用いる焦点調節モードと、一つの前記測距枠を用いる焦点調節モードとを含む
ことを特徴とする撮像装置。
【請求項１２】
請求項１１に記載の撮像装置において、
前記制御手段は、前記第２の設定モードにおいて、前記第２の設定モードで設定した前記測距枠で検出された合焦状態に従って測距枠が選択された場合には、前記選択された測距枠を設定する前記第１の設定モードに切り替える  ことを特徴とする撮像装置。
【請求項１３】
請求項１０に記載の撮像装置において、
前記制御手段は、前記第１の設定モードにおいて前記第１の領域の設定を変更する場合には、前記画素領域の各行のリセット走査から前記設定を変更する
ことを特徴とする撮像装置。
【請求項１４】
請求項１から１３のいずれか１項に記載の撮像装置において、
前記撮像装置は、動画像を撮影するモードである動画撮影モードと、静止画像を撮影するモードである静止画撮影モードとをとり得、
前記制御手段は、前記静止画撮影モードでは、前記第２の読み出し周期の長さを、前記第１の読み出し周期の長さよりも短く設定する
ことを特徴とする撮像装置。
【請求項１５】
請求項１から１４のいずれか１項に記載の撮像装置において、
前記第１の領域は、前記画素領域の垂直方向に設定された複数の第１の領域であり、
前記複数の前記第１の領域のうちの一の前記第１の領域に含まれる前記単位画素の行の数と、前記複数の前記第１の領域のうちの他の前記第１の領域に含まれる前記単位画素の行の数とが異なる
ことを特徴とする撮像装置。
【請求項１６】
行列方向に配列された複数のマイクロレンズと、前記複数のマイクロレンズの各々に対応して行列方向に複数の単位画素が配列された画素領域とを有する撮像手段であって、各々の前記単位画素は、第１の光電変換部と第２の光電変換部とを含み、前記撮像手段は、前記第１の光電変換部と前記第２の光電変換部とでそれぞれ発生した電荷に対応する信号に対して合成処理を行い、前記合成処理が行われた信号に対して読み出しを行うモードである第１のモードと、前記第１の光電変換部で発生した電荷に対応する信号に対して前記合成処理を行うことなく読み出しを行うモードである第２のモードとを少なくともとり得る撮像手段を有する撮像装置の制御方法であって、
第１の読み出し周期において、前記画素領域のうちの第１の領域に位置する第１の行に対して、前記第１のモードでの前記読み出しを行うステップと、
前記第１の読み出し周期とは別の第２の読み出し周期において、前記画素領域のうちの前記第１の領域とは異なる第２の領域に位置する第２の行に対して、前記第２のモードでの前記読み出しを行うステップと
を含み、
画像を撮影する際における、前記第１の読み出し周期の長さと、前記第２の読み出し周期の長さとが、互いに等しい
ことを特徴とする撮像装置の制御方法。
【請求項１７】
行列方向に配列された複数のマイクロレンズと、前記複数のマイクロレンズの各々に対応して行列方向に複数の単位画素が配列された画素領域とを有する撮像手段であって、各々の前記単位画素は、第１の光電変換部と第２の光電変換部とを含み、前記撮像手段は、前記画素領域に含まれる各行の前記第１の光電変換部と前記第２の光電変換部とでそれぞれ発生した電荷をリセットするリセットモードと、前記第１の光電変換部と前記第２の光電変換部とでそれぞれ発生した電荷に対応する信号に対して合成処理を行い、前記合成処理が行われた信号に対して読み出しを行うモードである第１のモードと、前記第１の光電変換部で発生した電荷に対応する信号に対して前記合成処理を行うことなく読み出しを行うモードである第２のモードとを少なくともとり得る撮像手段と、
前記画素領域のうちの第１の領域に位置する第１の行に対しては、前記第１のモードでの前記読み出しを行い、前記画素領域のうちの前記第１の領域とは異なる第２の領域に位置する第２の行に対しては、前記第２のモードでの前記読み出しを行う制御手段であって、前記リセットモードでの前記リセットは、前記第１のモードでの前記読み出しと、前記第２のモードでの前記読み出しとに対して実質的に同時に行われる、制御手段と
を有することを特徴とする撮像装置。
【請求項１８】
行列方向に配列された複数のマイクロレンズと、前記複数のマイクロレンズの各々に対応して行列方向に複数の単位画素が配列された画素領域とを有する撮像手段であって、各々の前記単位画素は、第１の光電変換部と第２の光電変換部とを含み、前記撮像手段は、前記画素領域に含まれる各行の前記第１の光電変換部と前記第２の光電変換部とでそれぞれ発生した電荷に対するリセットを各行に対して順次行うローリングリセットモードと、前記リセットを各行に対して同時に行うグローバルリセットモードと、前記第１の光電変換部と前記第２の光電変換部とでそれぞれ発生した電荷に対応する信号に対して合成処理を行い、前記合成処理が行われた信号に対して読み出しを行うモードである第１のモードと、前記第１の光電変換部で発生した電荷に対応する信号に対して前記合成処理を行うことなく読み出しを行うモードである第２のモードとを少なくともとり得る撮像手段と、
前記画素領域のうちの第１の領域に位置する第１の行に対しては、前記第１のモードでの前記読み出しを行い、前記画素領域のうちの前記第１の領域とは異なる第２の領域に位置する第２の行に対しては、前記第２のモードでの前記読み出しを行う制御手段であって、前記第２の領域に位置する前記第２の行に対して行われる前記第２のモードでの前記読み出しの周期は、前記第２のモードでの前記読み出しに対してローリングリセットモードでの前記リセットが行われた場合と、前記グローバルリセットモードでの前記リセットが行われた場合とで互いに異なる、制御手段と
を有することを特徴とする撮像装置。
【請求項１９】
行列方向に配列され、各々が第１の光電変換部と第２の光電変換部とを含む複数の画素と、
所定のモードにより前記複数の画素を駆動して所定の領域に含まれる複数の画素から信号を出力させる制御手段と
を有し、
前記所定のモードは、前記第１の光電変換部と前記第２の光電変換部とで発生した電荷に対応する第１の信号が画像信号として読み出されるモードである第１のモードと、前記第１の光電変換部で発生した電荷に対応する第２の信号が前記第２の光電変換部で発生した電荷と合成されることなく読み出されるモードである第２のモードとを含み、
前記制御手段は、第１の読み出し周期において前記所定の領域に含まれる前記複数の画素から第１の個数の第１の信号を出力させ、前記第１の読み出し周期とは別の第２の読み出し周期において前記所定の領域に含まれる前記複数の画素から、前記第１の個数と実質的に同一である第２の個数の第２の信号を出力させる
ことを特徴とする撮像素子。
【手続補正２】
【補正対象書類名】明細書
【補正対象項目名】０００７
【補正方法】変更
【補正の内容】
【０００７】
本発明の一観点によれば、行列方向に配列された複数のマイクロレンズと、前記複数のマイクロレンズの各々に対応して行列方向に複数の単位画素が配列された画素領域とを有する撮像手段であって、各々の前記単位画素は、第１の光電変換部と第２の光電変換部とを含み、前記撮像手段は、前記第１の光電変換部と前記第２の光電変換部とでそれぞれ発生した電荷に対応する信号に対して合成処理を行い、前記合成処理が行われた信号に対して読み出しを行うモードである第１のモードと、前記第１の光電変換部で発生した電荷に対応する信号に対して前記合成処理を行うことなく読み出しを行うモードである第２のモードとを少なくともとり得る撮像手段と、前記画素領域のうちの第１の領域に位置する第１の行に対しては、前記第１のモードでの前記読み出しを行い、前記画素領域のうちの前記第１の領域とは異なる第２の領域に位置する第２の行に対しては、前記第２のモードでの前記読み出しを行う制御手段であって、前記第１の領域に位置する前記第１の行に対して行われる前記第１のモードでの前記読み出しは、第１の読み出し周期において行われ、前記第２の領域に位置する前記第２の行に対して行われる前記第２のモードでの前記読み出しは、前記第１の読み出し周期とは別の第２の読み出し周期において行われ、画像を撮影する際における、前記第１の読み出し周期の長さと、前記第２の読み出し周期の長さとが、互いに等しい、制御手段とを有することを特徴とする撮像装置が提供される。